(57)【要約】【課題】パチンコ機などの遊技機を簡単に遊技機島にしっかりと固定できる遊技機固定装置を提供する。【解決手段】遊技機１０を、押圧用ピストン３１の下端に設けた硬質の高摩擦部材３１ａで上方から押圧し、該高摩擦部材３１ａと下枠板との間に挟持して遊技機島２に固定する。また、レバー３７やカム部３６などで構成された押圧用ピストン３１の押下機構を、遊技機島２の内部と外部との間に架け渡したワイヤ６０を遊技機島の外部から引っ張ることによって作動させる。【選択図】図１１
2008099905.tif 000002
【特許請求の範囲】
【請求項１】
遊技機島が有する上枠板と下枠板との間に挿入された遊技機を前記遊技機島に固定する遊技機固定装置において、
前記下枠板を臨むように前記上枠板に形成された貫通部に通され、下端に硬質の高摩擦部材が設けられた押圧用ピストンと、
前記押圧用ピストンを前記貫通部に沿って下降させ、前記押圧用ピストンの下端に設けた前記高摩擦部材で前記遊技機を上方から前記下枠板へ向けて押圧する押圧位置に前記押圧用ピストンを保持する押下機構と、
前記遊技機島の外部で受けた操作力を伝達して前記押下機構を作動させる伝達手段と
を有する
ことを特徴とする遊技機固定装置。
【請求項２】
前記伝達手段は、前記遊技機島の内部と外部との間に架け渡されたワイヤであり、
前記押下機構は、前記遊技機島の内部で前記ワイヤに接続され、前記遊技機島の外部から引かれた前記ワイヤの動きに応じて作動する
ことを特徴とする請求項１に記載の遊技機固定装置。
【請求項３】
前記ワイヤは、前記押下機構に設けた挿通穴に通され、かつ前記挿通穴より前記遊技機島の内部側に前記挿通穴を通らない抜止部を備えると共に、前記遊技機島の外部から内部へ向かって押し戻し得る剛性を有する
ことを特徴とする請求項２に記載の遊技機固定装置。
【請求項４】
前記押下機構は、
カム部が形成され、かつ前記伝達手段が接続されたレバーと、前記カム部に当接された揺動部材とを備え、
前記伝達手段を通じて受けた前記操作力によって前記レバーが回動すると前記カム部の凸側で前記揺動部材を押圧して揺動させ、この揺動に応じて前記押圧用ピストンを前記押圧位置へ下降させて保持する
ことを特徴とする請求項１乃至３のいずれか１つに記載の遊技機固定装置。
【請求項５】
さらに前記押下機構は、
前記揺動部材と前記押圧用ピストンとの間に介在すると共に、一端側から他端側に向けて厚みが増加し、かつ前記厚みの増減する方向に往来移動可能に設けられたアジャスト部材と、
前記アジャスト部材を、前記揺動部材と前記押圧用ピストンとの間に介在する箇所での厚みが増加する方向へ付勢する付勢部材と
を有する
ことを特徴とする請求項４に記載の遊技機固定装置。
【請求項６】
前記押下機構は、前記レバーが第1姿勢のとき、前記アジャスト部材を前記一端側が前記揺動部材と前記押圧用ピストンとの間に介在する初期位置に保持し、前記伝達手段を通じて受けた前記操作力によって前記レバーが前記第1姿勢から僅かに回動して第２姿勢となったとき、前記アジャスト部材の保持を解除する保持手段をさらに有する
ことを特徴とする請求項５に記載の遊技機固定装置。
【発明の詳細な説明】
【技術分野】
【０００１】
本発明は、パチンコ機などの遊技機を遊技機島に固定するための遊技機固定装置に関する。
【背景技術】
【０００２】
パチンコ機などの遊技機は、遊技機本体を収容する前枠と、該前枠が扉状に開閉可能に前面に取り付けられた外枠とを備え、該外枠を遊技機島の上枠板と下枠板（たとえば、上枠板は遊技機島上部の幕板を取り付ける枠のうちの下側の枠と兼用され、下枠板は、所謂、天板である）との間に挿入し、釘などで固定することにより遊技機島に設置されていた。
【０００３】
しかし、釘による固定では、繰り返し遊技機の入れ替えが行なわれる度に取り付け位置が穴だらけになり、取り付けが困難になったり、遊技機の傾斜角度の調整に手間が掛かることから、各種の固定装置が提案されている。たとえば、遊技機島の上枠板に上部取付装置を、下枠板に下部取付装置をそれぞれ設置し、上部取付装置から遊技機の外枠の内側に係止部材を延ばし、該係止部材で外枠の内側から外枠上部の板を保持すると共に、下部取付装置から延びる係止部材で外枠下部の板を外枠の内側から保持することで遊技機を遊技機島に固定するようにした遊技機固定装置が提案されている（たとえば、特許文献１、特許文献２、特許文献３参照。）。
【０００４】
【特許文献１】特開平１１−５７１９３号公報
【特許文献２】特開２００２−６６１００号公報
【特許文献３】特開２００３−２４６０８号公報
【発明の開示】
【発明が解決しようとする課題】
【０００５】
上記の各特許文献に開示された遊技機固定装置は、いずれも遊技機の外枠を内側から保持するように構成されており、外枠の内側に対する作業が発生するが、該作業は、遊技盤や電装部が設けられている前枠を外した外枠のみの状態で行なわなければならず、作業効率が良くないという問題があった。
【０００６】
本発明は、上記の問題を解決しようとするものであり、簡単な作業で遊技機を遊技機島に固定することのできる遊技機固定装置を提供することを目的としている。
【課題を解決するための手段】
【０００７】
上記の目的は以下に示す各項の発明により達成される。
【０００８】
［１］遊技機島が有する上枠板（４）と下枠板（３）との間に挿入された遊技機を前記遊技機島に固定する遊技機固定装置において、
前記下枠板（３）を臨むように前記上枠板（４）に形成された貫通部（２３）に通され、下端に硬質の高摩擦部材（３１ａ）が設けられた押圧用ピストン（３１）と、
前記押圧用ピストン（３１）を前記貫通部（２３）に沿って下降させ、前記押圧用ピストン（３１）の下端に設けた前記高摩擦部材（３１ａ）で前記遊技機を上方から前記下枠板（３）へ向けて押圧する押圧位置に前記押圧用ピストン（３１）を保持する押下機構（３４、３６、３７、３９など）と、
前記遊技機島の外部で受けた操作力を伝達して前記押下機構（３４、３６、３７、３９など）を作動させる伝達手段（６０）と
を有する
ことを特徴とする遊技機固定装置。
【０００９】
上記発明では、遊技機を、押圧用ピストン（３１）の下端に設けた硬質の高摩擦部材（３１ａ）で上方から押圧し、該高摩擦部材（３１ａ）と下枠板（３）との間に挟持して遊技機島に固定する。また、押圧用ピストン（３１）を押し下げる押下機構（３４、３６、３７、３９など）は伝達手段（６０）を介して遊技機島の外部から操作される。
【００１０】
硬質の高摩擦部材（３１ａ）は、たとえば、形状としてはヤスリや剣山状などにして、材質としては鉄などの金属の他、セラミックス、あるいはダイヤモンドなどの硬い鉱物を用いてもよい。
【００１１】
［２］前記伝達手段（６０）は、前記遊技機島の内部と外部との間に架け渡されたワイヤ（６０）であり、
前記押下機構（３４、３６、３７、３９など）は、前記遊技機島の内部で前記ワイヤ（６０）に接続され、前記遊技機島の外部から引かれた前記ワイヤ（６０）の動きに応じて作動する
ことを特徴とする［１］に記載の遊技機固定装置。
【００１２】
上記発明では、遊技機島の内部と外部との間に架け渡したワイヤ（６０）を遊技機島の外部から操作する（たとえば、引っ張る）ことで、押下機構（３４、３６、３７、３９など）を作動させて、遊技機を遊技機島に固定する。伝達手段（６０）をシャフトやリンク、歯車などで構成する場合に比べてワイヤ（６０）の場合には引き回しの自由度が高く、施行が容易になるなどに利点がある。
【００１３】
［３］前記ワイヤ（６０）は、前記押下機構（３４、３６、３７、３９など）に設けた挿通穴（３７ａ）に通され、かつ前記挿通穴（３７ａ）より前記遊技機島の内部側に前記挿通穴（３７ａ）を通らない抜止部（６２）を備えると共に、前記遊技機島の外部から内部へ向かって押し戻し得る剛性を有する
ことを特徴とする［２］に記載の遊技機固定装置。
【００１４】
上記発明では、遊技機島の外部からワイヤ（６０）を引っ張り、押下機構（３４、３６、３７、３９など）を作動させて遊技機を固定した後、押下機構（３４、３６、３７、３９など）により押圧用ピストン（３１）を押圧位置に保持したまま、ワイヤ（６０）を遊技機島の内部へ押し戻して遊技機島の中へ収納することができる。
【００１５】
［４］前記押下機構（３４、３６、３７、３９など）は、
カム部（３６）が形成され、かつ前記伝達手段（６０）が接続されたレバー（３７）と、前記カム部（３６）に当接された揺動部材（３４）とを備え、
前記伝達手段（６０）を通じて受けた前記操作力によって前記レバー（３７）が回動すると前記カム部（３６）の凸側で前記揺動部材（３４）を押圧して揺動させ、この揺動に応じて前記押圧用ピストン（３１）を前記押圧位置へ下降させて保持する
ことを特徴とする［１］乃至［３］のいずれか１つに記載の遊技機固定装置。
【００１６】
上記発明によれば、レバー（３７）および揺動部材（３４）がそれぞれ操作力を増大させる「てこ」として機能し、小さい操作力で大きな押圧力を得ることができる。また、押圧位置では揺動部材（３４）をカム部（３６）の凸側のほぼ頂点で押圧する状態となり、押圧用ピストン（３１）を押下位置に保持することができる。
【００１７】
［５］さらに前記押下機構（３４、３６、３７、３９など）は、
前記揺動部材（３４）と前記押圧用ピストン（３１）との間に介在すると共に、一端側から他端側に向けて厚みが増加し、かつ前記厚みの増減する方向に往来移動可能に設けられたアジャスト部材（３９）と、
前記アジャスト部材（３９）を、前記揺動部材（３４）と前記押圧用ピストン（３１）との間に介在する箇所での厚みが増加する方向へ付勢する付勢部材（４１）と
を有する
ことを特徴とする［４］に記載の遊技機固定装置。
【００１８】
上記発明では、遊技機島の外部から伝達手段（６０）を通じて操作力を受ける前に、付勢手段で付勢されてアジャスト部材（３９）が移動することで、遊技機の上端から押圧用ピストン（３１）とアジャスト部材（３９）を介して揺動部材（３４）に至るまでの間に隙間がない状態が形成され、揺動部材（３４）の揺動に基づく押圧用ピストン（３１）の押し下げ開始位置が自動的に設定される。これにより、遊技機毎の高さにバラツキがあっても、ほぼ同一の押圧力で遊技機を固定することができる。
【００１９】
［６］前記押下機構（３４、３６、３７、３９など）は、前記レバー（３７）が第1姿勢のとき、前記アジャスト部材（３９）を前記一端側が前記揺動部材（３４）と前記押圧用ピストン（３１）との間に介在する初期位置に保持し、前記伝達手段（６０）を通じて受けた前記操作力によって前記レバー（３７）が前記第1姿勢から僅かに回動して第２姿勢となったとき、前記アジャスト部材（３９）の保持を解除する保持手段（４２）をさらに有する
ことを特徴とする［５］に記載の遊技機固定装置。
【００２０】
上記発明では、当初、アジャスト部材（３９）は初期位置に保持され、遊技機島の外部から僅かに操作力を与えると、アジャスト部材（３９）は初期位置での保持が解除されて付勢手段に付勢されて移動し、押圧用ピストン（３１）が押し下げ開始位置へ自動的に設定される。さらに外部から操作力を与えることで揺動部材（３４）の揺動により押圧用ピストン（３１）が下降し、遊技機島に遊技機が固定される。
【発明の効果】
【００２１】
本発明に係わる遊技機固定装置によれば、遊技機を、押圧用ピストンの下端に設けた硬質の高摩擦部材で上方から押圧し、該高摩擦部材と下枠板との間で挟持して遊技機島に固定すると共に、押圧用ピストンを押し下げる押下機構を遊技機島の外部から操作できるので、遊技機の遊技機島への固定作業を迅速かつ容易に行なうことができる。
【００２２】
また、硬質の高摩擦部材で押圧して遊技機を固定するので、固定作業あるいは遊技機島のメンテナンスや修繕作業時に重たい前枠を開いても、遊技機の固定位置が変化してしまうことがなく、遊技機を遊技機島にしっかりと固定することができる。
【発明を実施するための最良の形態】
【００２３】
以下、図面に基づき本発明の実施の形態を説明する。
【００２４】
図１は、本発明の実施の形態に係わる遊技機固定装置３０によって遊技機１０を遊技機島２に固定した状態を、図２は、該状態の側面をそれぞれ示している。また、図３、図４は、遊技機１０の外観を示している。ここでは、遊技機１０はパチンコ機を例に説明するが、スロットマシンなど他の種類の遊技機であってもかまわない。
【００２５】
図３、図４に示すように、遊技機１０は、遊技機島２に固定するための中空矩形の外枠１１と、該外枠１１の左前縁部に設けたヒンジ１３に軸支されて扉状に開閉可能な前枠１２とを備えている。前枠１２には、遊技盤や遊技球の払い出し装置などの機構部品や回路部品が取り付けてあり、前枠１２を開くことで、背面からこれらの機構部品や回路部品を保守点検できるようになっている。
【００２６】
遊技機島２は、遊技機１０を背中合わせにした状態で多数の遊技機１０を表裏面に並設収容すると共に、遊技に供する遊技球を遊技機島２の中で循環させて繰り返し使用するための各種付帯設備を収容した構造物である。図１、図２に示すように、遊技機島２は、若干の余裕を持って遊技機１０が収まるように上下方向に間隔を空けて遊技機島２の長手方向に掛け渡された下枠板３と上枠板４とを備えている。
【００２７】
下枠板３は、遊技者が玉箱などを載置する、所謂、天板であり、上枠板４は、遊技機１０の上方に配置された遊技球補給路７などを、美観上、遊技者から見えなくするための幕板５や呼び出しランプ８が取り付けられた呼び出しランプ装着部９を固定するための固定枠のうちの下側の枠としての機能を兼ねている。下枠板３の下方には、遊技機島２の内部に配設された図示省略の遊技球回収経路や貯留タンクなどを覆い隠すための腰板６が取り付けてある。幕板５は、図２に示すようにヒンジで開閉可能に遊技機島２に取り付けられてもよいし、遊技機島２から着脱可能に構成されてもよい。
【００２８】
遊技機１０を遊技機島２に取り付ける際には、下枠板３の上に座板２１を敷設し、該座板２１の上に遊技機１０を載置する。上枠板４には、設置する遊技機１０の左右両端近傍の上方となる箇所にそれぞれ遊技機固定装置３０が取り付けてあり、これら遊技機固定装置３０によって遊技機１０を上方から押圧することで遊技機島２に遊技機１０を固定するようになっている。また、下枠板３と上枠板４との間には、遊技機１０の外枠１１の一部を構成する左右の横枠１１ａに沿って補強フレーム２２を取り付けてある。
【００２９】
図５は、遊技機固定装置３０の取り付け箇所における上枠板４を示す平面図である。上枠板４には、遊技機固定装置３０の取り付け箇所において同図に示すような貫通穴２３が開設される。
【００３０】
図６は、座板２１の平面を、図７は、座板２１の断面を模式的に示したものである。座板２１は、遊技機１０の前面側から背後に向かって僅かに下り傾斜するように形成されている。また、座板２１の載置面上には、貫通穴２３のほぼ真下となる箇所に敷設部材２４が貼り付けてある。敷設部材２４は、ゴムのような弾性体でもよいし、後述する図１０に示す高摩擦部材３１ａのようにしてもよい。座板２１の後端部２１ａは突起しており、遊技機１０の後方への載置位置を規制すると共に、後方へのずれ落ちを防止するストッパとして機能する。
【００３１】
図７に示すように、座板２１の載置面は遊技機１０の前面側から奥に向けて下り傾斜しているので、座板２１の上に遊技機１０を略水平に載置すると遊技機１０の底部のうち前端のみが座板２１の載置面と当接し、ここを支点２５として、遊技機１０を背面側へ、座板２１の載置面の傾斜角度と一致するまで任意の角度に傾斜させることができるようになっている。また、遊技機１０を座板２１上に載置して遊技機固定装置３０で上から押圧すると敷設部材２４が弾性体の場合には遊技機１０の重みと押圧力とによって変形し、遊技機１０の外枠１１に加わる押圧力が適度に調整される。一方、敷設部材２４を高摩擦部材にした場合は、弾性体の場合に比べて少し厚みを増やして、遊技機１０を傾斜させた場合には、遊技機１０側に少しくい込むようにしている。
【００３２】
次に、遊技機固定装置３０の構成について説明する。
【００３３】
図８は遊技機固定装置３０の右側面における部分断面を、図９は遊技機固定装置３０の正面を一部省略して示している。遊技機固定装置３０は、下枠板３を臨むように上枠板４に形成された貫通穴２３に通され、下端に硬質の高摩擦部材３１ａが設けられた押圧用ピストン３１と、この押圧用ピストン３１を貫通穴２３に沿って下降させた後、該押圧用ピストン３１の下端に設けた高摩擦部材３１ａで遊技機１０を上方から下枠板３へ向けて押圧する押圧位置に押圧用ピストン３１を保持する押下機構とを備えている。
【００３４】
押下機構は、断面上向きコの字状で所定長を成すハウジング部３２と、ハウジング部３２よりひと回り小さい断面下向きコの字状を成し、揺動部材支持軸３３によってハウジング部３２の先端近傍に軸支されて該ハウジング部３２内に揺動可能に収容された揺動部材３４と、基端がハウジング部３２の後端上部のレバー支持軸３５に回動可能に軸支され、該基端に設けたカム部３６が揺動部材３４の上面に当接するように成されたレバー３７とを備えている。レバー３７の先端部には、後述する操作用のワイヤが通される挿通穴３７ａを備えたワイヤ受部３７ｂが設けられている。
【００３５】
ハウジング部３２の先端側の底面には、押圧用ピストン３１が挿通される穴部および該穴部の周囲から下方へ延びるシリンダ３８が形成されており、押圧用ピストン３１は、該シリンダ３８内に沿って上下動する。遊技機固定装置３０は、ハウジング部３２の底面に設けた固定用雌螺子穴３２ａを通したネジで上枠板４に固定される。
【００３６】
揺動部材３４は、揺動部材３４とハウジング部３２との間に設けられたバネ４３（ねじりバネ）によって後端側が上方へ持ち上がるように付勢されており、該付勢により、揺動部材３４の後端上面とカム部３６との当接状態が保持される。
【００３７】
揺動部材３４の上面には、揺動部材３４の長手方向に沿ってスリット３４ａが形成してあり、該スリット３４ａには、これに沿ってスライド移動されるアジャスト部材３９が嵌め込まれている。アジャスト部材３９は、スリット３４ａより下方の押圧部３９ａとスリット３４ａより上方のハンドル部３９ｂとから成り、押圧部３９ａの下部左右両側の内側には、アジャスト部材３９の先端側から後端側に向けてガイド溝３９ｃが設けられている。ガイド溝３９ｃは、アジャスト部材３９の先端側から後端側に向けて揺動部材３４の上面部まで距離が次第に増加するように傾斜して形成されており、このガイド溝３９ｃに押圧用ピストン３１の上部左右両側に設けられた突起部３１ｂが嵌め込まれている。
【００３８】
このように、アジャスト部材３９は揺動部材３４と押圧用ピストン３１との間に介在すると共に、該介在する箇所の厚み（揺動部材３４の上面部からガイド溝３９ｃまでの距離）がアジャスト部材３９の先端側から後端側に向けて増加し、かつ該厚みの増減する方向にスライド移動（往来移動）可能に設けられている。
【００３９】
また、アジャスト部材３９は、アジャスト部材３９の下部後端に設けた突起３９ｄとこれよりも先端側にあるバネ４３の一端部４３ａとの間に架け渡たされた引きバネ４１により、揺動部材３４の後端側から先端側へ（揺動部材３４の上面部と押圧用ピストン３１の突起部３１ｂとの間に介在する箇所での厚みが増加する方向へ）付勢されている。
【００４０】
さらに、レバー３７の基端に、該レバー３７を起立させた第１姿勢（図８に示す姿勢）にてアジャスト部材３９の後端部に引っ掛かり、アジャスト部材３９をカム部３６側に引き寄せた初期位置に保持するフック４２が設けられている。レバー３７をハウジング部３２の先端側へ少し倒すと、アジャスト部材３９はフック４２から外れ、アジャスト部材３９の初期位置での保持が解除され、揺動部材３４の先端側へスライド移動する。なお、レバー３７には、該レバー３７を手前に倒したときにアジャスト部材３９のハンドル部３９ｂに対する干渉を防ぐための逃げ穴３７ｃが形成されている（図９参照）。
【００４１】
さらに、ハウジング部３２の後端部には、下方へ延びるフレーム５０（図９では図示省略）が接合部５１およびネジ５２により着脱可能に取り付けられている。このフレーム５０の下端部には、遊技機支持機構５３が設けられている。遊技機支持機構５３は、遊技機１０の外枠１１の上部背面と当接し、遊技機の背面を受け止める機能を果たす。遊技機支持機構５３は、フレーム５０に固定されたシリンダ５３ａと、該シリンダ５３ａに沿って進退するピストン５３ｂと、ピストン５３ｂをシリンダ５３ａから遊技機の背面側に向けて進出するように付勢する押しバネ５３ｃと、ピストン５３ｂの抜け止め用のネジ５３ｄとを備えている。なお、遊技機固定装置３０によってスロットマシンを固定する場合には、遊技機支持機構５３ごとフレーム５０をハウジング部３２から取り外して使用される。
【００４２】
図１０は、高摩擦部材３１ａの詳細を示している。図１０（ａ）は、シリンダ３８およびこれに挿通された押圧用ピストン３１を下端側から見た状態を示し、図１０（ｂ）は高摩擦部材３１ａを拡大視した様子を、図１０(ｃ)は高摩擦部材３１ａの断面を模擬的に表している。高摩擦部材３１ａは、同図（ｂ）に示すように、歯は複数列に形成されており、各列においては間欠的（図中のピッチＰ）に形成されている。複数列とすることにより広範な接触範囲を確保すると共に、歯を間欠的に設けることで接触面積が減り、単位面積あたりの押圧力が高まり、外枠１１へ食い込み易くなっている。前述した敷設部材２４も同様である。なお、高摩擦部材３１ａ、敷設部材２４ともに、ピッチＰや列の数、列同士の間隔などは適宜に設定すればよい。
【００４３】
さらに同図（ｃ）に示すように、高摩擦部材３１ａは遊技機１０の背面から前面に向かう方向に対して逆目の鑢状を成している。たとえば、歯は、遊技機１０の挿入方向に対しては斜面を成し、抜出方向には垂直となるように形成される。遊技機１０を遊技機島２に設置した後に前枠１２を開くと重心が前方に移動して手前に遊技機１０が移動しやすい。そこで、硬質の高摩擦部材３１ａを遊技機１０の背面から前面に向かう方向に対して逆目の鑢状にすることで、手前に移動しようとする遊技機に対して鑢が逆目に働き、遊技機１０の移動が効果的に阻止される。これにより、遊技機固定装置３０による上方からの押圧力を少なくしても、しっかりと遊技機１０を固定することができる。この効果は、敷設部材２４を上記高摩擦部材３１ａと同様の形状にした場合にさらに得ることができる。
【００４４】
なお、鑢状にすることで、木製やアルミニウム製など様々な材質の外枠１１に対応することができる。硬質の敷設部材２４、高摩擦部材３１ａは、たとえば、形状としてはヤスリや剣山状などにして、材質としては鉄などの金属の他、セラミックス、あるいはダイヤモンドなどの硬い鉱物を用いてもよい。
【００４５】
図１１は、遊技機固定装置３０を遊技機島２に取り付けた状態を示している。遊技機固定装置３０は、上枠板４に設けた貫通穴２３にシリンダ３８を通すようにして上枠板４の上面にネジ４ａで固定される。また、呼び出しランプ装着部９に設けた穴部９ａを通して、ワイヤ６０が遊技機島２の内部と外部との間に架け渡される。呼び出しランプ装着部９は呼び出しランプ８が装着される板であって、開閉しない。ワイヤ６０は、レバー３７の挿通穴３７ａに通されると共に、遊技機島２の外側の端部に握持部６１を備える。また、挿通穴３７ａよりも遊技機島２の内側の端部に該挿通穴３７ａを通らない形状の抜止部６２を備えている。またワイヤ６０の経路を規制するワイヤガイド部材６５が設けられている。
【００４６】
次に、遊技機固定装置３０による遊技機１０の固定手順を説明する。
【００４７】
図１１に示すように、当初は、レバー３７を起立させた第１姿勢とし、またアジャスト部材３９をフック４２に引っ掛けた状態にしておく。また、ワイヤ６０は握持部６１が呼び出しランプ装着部９に設けたホルダ６６に収めてあり、握持部６１を除きワイヤ６０は遊技機島２の内側へ収納されている。
【００４８】
この状態で、遊技機１０を座板２１の上に載せ、外枠１１の上部背面を遊技機支持機構５３のピストン５３ｂに当接させた後、ピストン５３ｂに対する遊技機１０の押し込み加減を調整し（図中の矢印Ａ方向への押圧具合）、遊技機１０を所望の傾斜に決定する。
【００４９】
図１２に示すように、遊技機島２の外部から握持部６１を持ってワイヤ６０を少し手前に引き出すと、レバー３７が少し前傾した第２姿勢となってフック４２が外れ、アジャスト部材３９は引きバネ４１に付勢されて揺動部材３４の先端側へ移動する。該移動により、押圧用ピストン３１の上端にある突起部３１ｂが係合する位置でのガイド溝３９ｃと揺動部材３４の上面部との間の距離（厚み）が次第に増加して押圧用ピストン３１が下降し（図中の矢印Ｂ方向へ下降）、押圧用ピストン３１の先端の高摩擦部材３１ａが遊技機１０の外枠の上面に当接する。これにより遊技機１０毎の高さのばらつきに応じた押圧用ピストン３１の押圧移動開始位置が決まる。
【００５０】
次に、図１３に示すように、遊技機島２の外部からワイヤ６０をさらに引き出し、レバー３７を手前に引き倒す。この操作によりカム部３６の凸側で揺動部材３４の後端側が押し下げられ、これに伴ってアジャスト部材３９および押圧用ピストン３１が押圧位置へと下降し、遊技機１０の外枠に対する押圧力が増加する。こうして遊技機１０を上方から座板２１および下枠板３に押し付けて挾持することで、遊技機１０は遊技機島２に固定される。このときカム部３６の凸側のほぼ先端で揺動部材３４の上面を押下する状態になるので、該位置でレバー３７は安定し、押圧状態がそのまま保持される。
【００５１】
遊技機１０の固定が完了すると、作業者は、図１４に示すように、ワイヤ６０を遊技機島２の内部へ押し戻し、握持部６１をホルダ６６に再び収納する。押し戻すときは挿通穴３７ａを通じてワイヤ６０が奥へ逃げるので、レバー３７は動かず、押圧用ピストン３１は押圧位置に保持される。ワイヤ６０は、このような押し戻しが可能な程度の剛性を備えており、たとえば、複数本の細いスチール線をより合わせたワイヤなどが使用される。
【００５２】
なお、レバー３７と揺動部材３４とがそれぞれ「てこ」の働きをするので、少ない操作力で押圧用ピストン３１を押し下げて遊技機１０の外枠１１を押圧することができる。さらに、外枠１１の両サイドに上枠板４と下枠板３とを繋ぐ補強フレーム２２を設けてあるので、押圧用ピストン３１を押し下げて外枠１１を押圧した際の反力が上枠板４や下枠板３に加わってもこれらの歪み・撓み・変形などが防止される。
【００５３】
さらに、硬質の高摩擦部材３１ａで押圧するので、前枠１２を開くなどの大きな力が遊技機１０の外枠１１に働いても、遊技機島２に対して外枠１１が位置ずれすることがなく、しっかりと固定される。
【００５４】
また、ワイヤ６０を介して遊技機島２の外部からレバー３７を操作できるので、遊技機１０の固定作業を容易に行なうことができる。また、固定後はワイヤ６０を押し戻して収納することができるので、見た目に美しく、邪魔にならない。
【００５５】
さらに、外枠１１を取り付けた状態のままで遊技機１０の傾斜を測定することができる。すなわち、外枠１１のみの状態で傾斜を測定し設定する場合と異なり、実際に遊技を行なう状態で傾斜を測定し設定することができ、外枠１１に前枠１２を取り付ける作業によって傾斜角に誤差が生じる虞をなくすことができる。なお、所望の傾斜になっていない場合は、前枠１２を開き、ここから手を入れてレバー３７を第１姿勢に起立させ、アジャスト部材３９をフック４２に引っ掛けた状態に戻した後、前枠１２を閉じ、遊技機の傾斜を決定し直し、遊技機島２の外からワイヤ６０を再度引いて固定すればよい。
【００５６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５７】
たとえば、ワイヤ６０の取り回しは、図１１に例示したように呼び出しランプ装着部９に設けた穴部を通す方法に限らず、図１５に示すように、上板枠４の下縁部に開設した切欠きを通じて遊技機島２の外部へワイヤ６０を引き出す構成としてもよい。また、図１６に示すように、常時はワイヤ６０全体を遊技機島２の内部に収納しておき（図中の収納位置Ｋ）、必要時に幕板５を開き、該幕板５を開いてできた開口を通じてワイヤ６０を遊技機島の内部から外部へ引き出して架け渡すように構成されてもよい。この場合、ワイヤ６０をワイヤガイド部材６５に加えてフレキシブルチューブ６７に通し、ワイヤ６０の経路を規制して操作力の効率的な伝達を図るとよい。
【００５８】
また、実施の形態では、遊技機島２の外部で受けた操作力の伝達部材としてワイヤ６０を使用したが、これに限らず、シャフト、歯車、リンクなど他の種類の伝達部材であってもかまわない。また、遊技機島２の外部での操作は引き動作に限らず、押し動作や回転動作などでもよい、要するに、伝達部材は、遊技機島２の外部で受けた操作力を伝達して押下機構を作動させることができればよい。
【００５９】
押下機構についても、実施の形態で例示した構成に限定されず、外部からの操作力を受けて押圧用ピストン３１を貫通穴２３に沿って下降させ、押圧用ピストン３１の下端に設けた高摩擦部材３１ａで遊技機１０を上方から下枠板３へ向けて押圧する押圧位置に押圧用ピストン３１を保持する機能が実現される機構であればよい。たとえば、回転するが上下に変位しないように固定された雌ネジに対して、上下に変位するが回転しないようにされた雄ネジで押圧用ピストン３１を上下動させるように押下機構を構成しておき、その雌ネジを回転させるように伝達部材で操作力を伝達する様にしてもよい。
【００６０】
実施の形態では、アジャスト部材３９に傾斜したガイド溝３９ｃを設けることで、アジャスト部材３９の移動に伴って押圧用ピストン３１を下降させるように構成したが、たとえば、アジャスト部材３９自体の形状をその厚みが先端側から後端側に向けて増加するくさび型に形成し、厚みの増減する方向へ往来移動可能に構成されてもよい。また、引きバネ４１によってアジャスト部材を付勢したが、アジャスト部材を後端側から先端側に向けて押すように付勢してもかまわない。また、付勢手段はバネに限定されず、アジャスト部材を先端側へ移動させる力を与えるものであればよい。
【００６１】
また、実施の形態では、上枠板４に設けた貫通穴２３にシリンダ３８を通すようにしたが、シリンダ３８あるいは押圧用ピストン３１を通すことができれば、穴状である必要はなく、切欠きであってもかまわない。
【００６２】
また、実施の形態では遊技機１０の左右両端の２箇所に遊技機固定装置３０を設けて遊技機１０を上方から押圧して固定するようにしたが、さらに多くの遊技機固定装置３０を設けて固定してもよい。
【００６３】
敷設部材２４を弾性体にした場合、その表面に高摩擦部材３１ａを設けた構成にしてもよい。すなわち、第１層としてゴムなどの弾性部を備え、その上に硬質の高摩擦部材３１ａを第２層として設けるような構成にしてもよい。これにより、遊技機１０の底部側もしっかりと固定され、より少ない押圧力で遊技機１０を遊技機島２に固定することができる。
【００６４】
実施の形態では、傾斜した座板２１を敷設することで遊技機１０の傾斜を促したが、遊技機１０の底部の前端寄りの箇所において該遊技機１０の底部と下枠板３との間に棒状部材や突起物などの支点部材を配置し、該支点部材を支点として遊技機１０を背面側へ傾斜させるようにしてもよい。
【００６５】
敷設部材２４の設置位置は、貫通穴２３の真下のように高摩擦部材３１ａによる押圧力が最も加わる箇所が好ましいが、他の箇所でもかまわない。また敷設部材２４の数も適宜に設定すればよい。
【図面の簡単な説明】
【００６６】
【図１】本発明の実施の形態に係わる遊技機固定装置で遊技機を遊技機島に固定した状態を示す正面図である。
【図２】本発明の実施の形態に係わる遊技機固定装置で遊技機を遊技機島に固定した状態を示す側面図である。
【図３】本発明の実施の形態に係わる遊技機固定装置によって固定される遊技機の一例を示す斜視図である。
【図４】前枠を開いた状態の遊技機を示す斜視図である。
【図５】本発明の実施の形態に係わる遊技機固定装置の取り付け箇所における上枠板を示す平面図である。
【図６】下枠板の敷設される座板を示す平面図である。
【図７】座板上に載置された遊技機の傾き方を示す説明図である。
【図８】本発明の実施の形態に係わる遊技機固定装置の右側面における部分断面を示す説明図である。
【図９】本発明の実施の形態に係わる遊技機固定装置を示す正面図である。
【図１０】高摩擦部材の断面を模擬的に示す説明図である。
【図１１】本発明の実施の形態に係わる遊技機固定装置を用いて遊技機を遊技機島に固定する際の初期状態を示す説明図である。
【図１２】本発明の実施の形態に係わる遊技機固定装置を用いて遊技機を遊技機島に固定する際にワイヤを僅かに引いた状態を示す説明図である。
【図１３】本発明の実施の形態に係わる遊技機固定装置を用いて遊技機を遊技機島に固定する際にワイヤを固定完了まで引いた状態を示す説明図である。
【図１４】本発明の実施の形態に係わる遊技機固定装置を用いて遊技機を遊技機島に固定する際に固定完了後、ワイヤを押し戻した状態を示す説明図である。
【図１５】ワイヤの取り回し方が異なる遊技機固定装置の設置例を示す説明図である。
【図１６】常時はワイヤを遊技機島の内部にすべて格納するタイプの遊技機固定装置の設置例を示す説明図である。
【符号の説明】
【００６７】
２…遊技機島
３…下枠板
４…上枠板
５…幕板
６…腰板
７…遊技球補給路
８…呼び出しランプ
９…呼び出しランプ装着部
１０…遊技機
１１…外枠
１１ａ…横枠
１１ｂ…上枠
１２…前枠
１３…ヒンジ
１４…金具
１５…保護カバー
２１…座板
２１ａ…座板の後端部
２２…補強フレーム
２３…貫通穴
２４…敷設部材
２５…支点
３０…遊技機固定装置
３１…押圧用ピストン
３１ａ…高摩擦部材
３１ｂ…突起部
３２…ハウジング部
３２ａ…固定用雌螺子穴
３３…揺動部材支持軸
３４…揺動部材
３４ａ…スリット
３５…レバー支持軸
３６…カム部
３７…レバー
３７ａ…挿通穴
３７ｂ…ワイヤ受部
３７ｃ…逃げ穴
３８…シリンダ
３９…アジャスト部材
３９ａ…押圧部
３９ｂ…ハンドル部
３９ｃ…ガイド溝
４１…引きバネ
４２…フック
４３…バネ
５０…フレーム
５１…接合部
５２…ネジ
５３…遊技機支持機構
５３ａ…シリンダ
５３ｂ…ピストン
５３ｃ…押しバネ
５３ｄ…ネジ
６０…ワイヤ
６１…握持部
６２…抜止部
６５…ワイヤガイド部材
６６…ホルダ
６７…フレキシブルチューブ
【図１】
2008099905.tif 000003
【図２】
2008099905.tif 000004
【図３】
2008099905.tif 000005
【図４】
2008099905.tif 000006
【図５】
2008099905.tif 000007
【図６】
2008099905.tif 000008
【図７】
2008099905.tif 000009
【図８】
2008099905.tif 000010
【図９】
2008099905.tif 000011
【図１０】
2008099905.tif 000012
【図１１】
2008099905.tif 000013
【図１２】
2008099905.tif 000014
【図１３】
2008099905.tif 000015
【図１４】
2008099905.tif 000016
【図１５】
2008099905.tif 000017
【図１６】
2008099905.tif 000018